(57)【要約】【課題】自動二輪車でクラッチを作動させずに変速した時に、運転者が変速挙動に適応する必要のない変速装置を提供する。【解決手段】変速装置は、クラッチが駆動エンジンと手動変速機（４）との間で係合された状態で変速を行うように、駆動エンジンを有する自動二輪車の手動変速機を作動するために提案され、手動変速機は、回転可能に作動されることができるセレクタシャフト（６）、及び回転可能に作動されることができるギヤセレクタドラム（７）を有し、変速装置は、セレクタシャフトを作動するよう設けられる変速レバーを有し、駆動エンジンの出力トルクに影響を与えるよう適合され、変速装置は、セレクタシャフトの回転作動を検出する第１センサ装置（８）を有し、変速装置は、第１センサ装置のセンサ信号に応じて、駆動エンジンの出力トルクにを減少させるよう適合される。【選択図】図１
2019044971.tif 000002
【特許請求の範囲】
【請求項１】
クラッチ（１３）が駆動エンジン（２）と手動変速機（４）との間で係合された状態で変速を行うように、駆動エンジン（２）を有する自動二輪車の手動変速機を作動する変速装置であり、前記手動変速機（４）は、回転作動可能なセレクタシャフト（６）及び回転作動可能なギヤセレクタドラム（７）を有し、前記変速装置は、前記セレクタシャフト（６）を作動するよう設けられる変速レバー（５）を有し、前記駆動エンジン（２）の出力トルクに影響を与えるよう適合される変速装置であって、前記変速装置は、セレクタシャフト（６）の回転角度又は旋回角度を検出する第１センサ装置（８）を有し、前記変速装置は、前記第１センサ装置（８）のセンサ信号に応じて、前記駆動エンジン（２）の前記出力トルクを減少させるよう適合され、
前記変速装置は、前記ギヤセレクタドラム（７）の回転角度又は旋回角度を検出する第２センサ装置（１４）を有し、前記変速装置は、前記第２センサ装置（１４）のセンサ信号に応じて、前記駆動エンジン（２）の前記出力トルクの減少を停止させる、又は前記駆動エンジン（２）のエンジントルクを再び増大させるよう構成され、前記第２センサ装置（１４）のセンサ信号は、ギヤチェンジの完了を判定することを特徴とする、変速装置。
【請求項２】
前記変速レバー（５）は、前記セレクタシャフト（６）に変速力を伝達するために、確動嵌合で、前記セレクタシャフト（６）に結合される、又は力伝達装置を介在させた状態で、前記セレクタシャフト（６）に接続されることを特徴とする、請求項１に記載の変速装置。
【請求項３】
前記変速レバー（５）と前記セレクタシャフト（６）との間にある変速力伝達経路には、前記変速力によって変形可能なバネ装置が存在しないことを特徴とする、請求項１または２に記載の変速装置。
【請求項４】
前記セレクタシャフト（６）は、端面端部の領域に支持軸受を備え、前記支持軸受は、筒状体（１１）として適合され、前記セレクタシャフト（６）に着脱可能に固定可能であり、磁気装置（１２）を着脱可能に止着する取付台（１０）を有することを特徴とする、請求項１乃至３のいずれか一項に記載の変速装置。
【請求項５】
前記ギヤセレクタドラム（７）は、端面端部の領域に凹部を有し、該凹部中に磁気装置（１６）が配置されることを特徴とする、請求項１乃至４のいずれか一項に記載の変速装置。
【請求項６】
前記駆動エンジン（２）は、ハウジング（３）を有し、前記第１センサ装置（８）及び／又は第２センサ装置（１４）は、前記ハウジング（３）に外部から止着されることを特徴とする、請求項１乃至５のいずれか一項に記載の変速装置。
【請求項７】
前記第１センサ装置（８）及び／又は第２センサ装置（１４）は、ホール効果センサとして構成されることを特徴とする、請求項１乃至６のいずれか一項に記載の変速装置。
【請求項８】
前記変速装置は、前記クラッチ（１３）を係合状態で、ギヤを両変速方向で係合させて、前記手動変速機（４）を変速するよう適合されることを特徴とする、請求項１乃至７のいずれか一項に記載の変速装置。
【発明の詳細な説明】
【技術分野】
【０００１】
本発明は、クラッチを駆動エンジンと手動変速機との間で係合させた状態で変速を行うように、駆動エンジンを有する自動二輪車の手動変速機を作動する変速装置であり、手動変速機は、回転作動可能なセレクタシャフト及び回転作動可能なギヤセレクタドラムを有し、変速装置は、セレクタシャフトを作動するよう設けられる変速レバーを有し、駆動エンジンの出力トルクに影響を与えるよう適合される、変速装置に関する。
【背景技術】
【０００２】
自動二輪車の変速機では、変速は、通常、自動二輪車の運転者が、クラッチを切断することによって、駆動エンジンと手動変速機との間のトルク伝達を遮断し、その後、自分の足を使用して、ギヤを高速に切替えたり、低速に切替えたりして、セレクタシャフトに結合された変速レバーを、作動させ、その後、運転者は、引かれたクラッチハンドルを再び解放することによって、クラッチを再び係合するようにして、進行する。  
【０００３】
この手順は、まだ従来通り慣習的に行われているが、クラッチが係合された状態で手動変速機を変速可能にした変速装置も、既に知られており、かかる変速装置は、通常、シフト支援システムと呼ばれている。そうしたシフト支援システムには、自動二輪車を加速する駆動エンジンによって提供される出力トルクが遮断される期間が、短縮されることができるという利点があり、この利点は、スポーツ用自動二輪車又はレース用自動二輪車の場合に、特に有利である。また一方で、運転者がクラッチを作動する必要なく変速できることは、特に、長距離を走行する際に、運転者のクラッチハンドが、結果的に休ませられると共に、これは、リラックスした快適な走行にも寄与するため、周遊走行に関しても利益がある。
【０００４】
クラッチを作動させずに変速するシフト支援システムを有する自動二輪車の変速機機構は、ドイツ国特許第１０  ２０１２  ２０９  ９６３Ａ１号（特許文献１）に基づいて知られるようになった。同公開文献に基づいて知られるようになったシフト支援システムは、バネ収容部を有し、該バネ収容部は、変速レバーの作動による与圧状態で切替えが行われ、異なるギヤへの切替えは、バネに蓄えられたエネルギによって、開始され、実行される。シフト支援システムは、この場合変速機のセレクタシャフトに同軸に設置され、該シャフトから側方に突出する。
【０００５】
変速レバーの運動は、過程で、シフト支援システムに伝わり、バネ収容部のバネ与圧を変化させる。バネに蓄えられたエネルギを使用して、変速過程は、その後サポートされるが、そこでは、センサが、運転者の変速意思を検出するために、シフト支援システムのハウジンングに設けられ、該センサは、変速レバーの位置を判定し、該位置が、次に、運転者による対応する作動時に、シフト支援システムのバネ収容部のバネ与圧の高まりを検出するのに使用される。
【０００６】
自動二輪車用変速装置は、ドイツ国特許第１０  ２０１０  ０１５  ０３７  Ａ１号（特許文献２）から知られるようになり、該変速装置は、変速力伝達装置を有し、該変速力伝達装置は、自動二輪車の変速機レバーと変速機のセレクタシャフトとの間に配置され、２つの圧力バネを有し、該バネは、実行される変速過程中、変速レバーの対応する作動によって与圧される。２つの圧力バネは、この事例では、異なるバネ特性を有する、即ち、変速レバーの作動中にその都度バネの運動距離を検出することで、異なるバネ力が得られる。
【０００７】
その都度生成されるバネ力は、電子装置によってモニタリングされ、変速力の閾値に到達したかを確認するために評価され、そこでは、駆動エンジンによって出力されたエンジントルクが、減少され、変速過程は、各変速力の閾値を超えた後に、実行される。従って、変速力の閾値に到達することが、運転者の変速意思として評価され、その時点で、エンジントルクが、実際に変速を実行可能にするために減少される。
【０００８】
前述した変速装置と極めて同様の変速装置が、ドイツ国特許第１０  ２０１０  ０１５  ０３６Ａ１号（特許文献３）から知られるようになったが、該装置は、しかしながら、２つの圧力バネで動作する代わりに、両変速方向に付勢される１つの圧力バネで動作し、運転者の変速意思は、変速レバーの作動によって生成されるバネの与圧力が、変速力の閾値に対して、モニタリングされることで判定される、或いは  変速レバーを作動するためのバネの運動距離が、センサ装置によって検出され、変速力の閾値に変換され、該閾値を超えると、運転者の変速意思として、解釈される。変速力の閾値を超えた場合、エンジントルクは、実際の変速過程を実行するように減少される。
【０００９】
記載された変速装置全てに関する共通点は、変速レバーと変速機入力部との間の力伝達経路にバネを有し、該バネが、自動二輪車の運転者による変速レバーの対応する作動によって、与圧される点である。その結果、変速過程を開始すると運転者によってそうして生成されたバネ力は、対応する閾値を超えた後にエンジントルクを短期間減少させる信号として、評価される、或いは、実際の変速過程を実行するための蓄積エネルギとして、使用される。
【００１０】
従って、全事例において、バネ装置は、自動二輪車変速機の変速レバーと変速機入力部との間の力伝達経路に配設され、バネ装置は、変速レバーが作動されると、バネ作用を実行する、即ち、変速レバーの非作動位置に存在するバネのバネ経路が、変化を受けるように、作動される。しかしながら、力伝達経路にバネ装置が存在することは、全事例において、バネが初めに力伝達経路で与圧される必要がない変速過程と比べて、自動二輪車の運転者によって知覚される変速挙動の変化を齎す。
【００１１】
バネは、感覚的に区別できない（ｉｎｄｉｆｆｅｒｅｎｔ）又はフワフワした（ｓｐｏｎｇｙ）ものとして運転者によって知覚される変速挙動を齎し、バネは、運転者にとって、特にニュートラルを判別し難く、即ち、自動二輪車の変速機に関してニュートラル位置を判別し難くしてしまう。上述したシフト支援システムは、複雑で、そのため高価な構造を有し、いつでもバネが破損する可能性があるため、故障し易く、破損すると、シフト支援システムの機能が不確実になり、該システムを備える車両も、対応する修理が行われるまで使用できなくなる。その上、バネは、疲労の兆候や設定値の影響を受け、そうした兆候や設定値は、バネを備えるシフト支援システムの変速挙動を、比較的長い動作期間に亘り、変化させるが、そうすると運転者は、その変化に適応しなければならない。  
【００１２】
また、変速レバーとセレクタシャフトとの間の力伝達経路にバネ無しで動作するシフト支援システムも、既に知られている。これらのシステムは、力の測定値を利用し、該測定値を使用して、自動二輪車の運転者は、変速レバーを作動させる。エンジントルクに影響を及ぼすことによって変速過程をトリガするために、設定閾値は、測定された力値だけ上回らねばならない。この閾値が高く設定された場合、運転者は、変速できるように、強い力で、変速レバーを作動せねばならず、運転者を疲れさせるが、閾値が低く設定された場合、運転者が不用意に少しだけ変速レバーに触れただけでも、閾値を超えてしまい、そのために変速過程が不所望なものになり、運転者に不快な驚きを与えてしまう。通常、ロードセル又は歪みゲージを用いて動作する、この種類のシフト支援システムは、典型的には、例えば、Ｔｒａｎｓｌｏｇｉｃ  Ｓｙｓｔｅｍｓ  Ｌｔｄ．によって提供されている。その説明書では、運転者が、シフト支援システムのトリガ行動に適応しなければならないことを、明示している。
【先行技術文献】
【特許文献】
【００１３】
【特許文献１】ドイツ国特許第１０  ２０１２  ２０９  ９６３Ａ１号
【特許文献２】ドイツ国特許第１０  ２０１０  ０１５  ０３７Ａ１号
【特許文献３】ドイツ国特許第１０  ２０１０  ０１５  ０３６Ａ１号
【発明の概要】
【発明が解決しようとする課題】
【００１４】
これに基づいて、本発明の目的は、自動二輪車でクラッチを作動させずに変速し、それにより、運転者が、変化される変速挙動に適応する必要なく、自動二輪車を使用可能となる、変速装置を作成することである。
【課題を解決するための手段】
【００１５】
この目的を達成するために、本発明は、請求項１で特定される特徴を有する。有利な実施形態については、更なるクレームで開示される。
【００１６】
本発明は、クラッチを駆動エンジンと手動変速機との間で係合させた状態で変速を行うように、駆動エンジンを有する自動二輪車の手動変速機を作動する変速装置であり、手動変速機は、回転作動可能なセレクタシャフト及び回転作動可能なギヤセレクタドラムを有し、変速装置は、セレクタシャフトを作動するよう設けられる変速レバーを有し、駆動エンジンの出力トルクに影響を与えるよう適合される変速装置であって、変速装置は、セレクタシャフトの回転作動を検出する第１センサ装置を有し、変速装置は、第１センサ装置のセンサ信号に応じて、駆動エンジンの出力トルクに影響を及ぼすよう構成される、変速装置を作成する。
【００１７】
自動二輪車の運転者が変速レバーを作動する作動力を、運転者側の変速意思を検出する基準として、センサ装置で検出する、又はセンサ装置を使用して、変速意思を検出する変速レバーの作動経路を検出する既知のシフト支援システムとは対照的に、本発明によれば、セレクタシャフトの回転作動を検出する第１センサ装置を設け、変速装置を、第１センサ装置の、つまりセレクタシャフト角度センサの、センサ信号に基づいて、  エンジントルクに影響を与えるように開発することが提供される。
【００１８】
従って、運転者が、保持圧力で変速レバーを作動させた場合に超える力閾値を検出及びモニタリングするという必要条件は、捨てられる。この力閾値は、運転者が習慣的に変速機を作動させる力の値より、高いことがあり、運転者にとっては、力閾値と一致する変速レバーの作動に、思いがけず移行してしまいかねない。この欠点は、本発明による変速装置の構造によって回避される。
【００１９】
また、変速レバーの作動が感覚的に区別できないフワフワしたものになるという欠点は、変速レバーと変速機の入力部との間の力伝達経路に、そうした作動に繋がるバネが無くても済むため、且つ変速レバーを作動するのに運転者によって使用される作動力を検出する必要性もなくなるため、防止される。これは、運転者の変速意思が、第１センサ装置を用いてセレクタシャフトの回転角度を検出することによって、直接検出されることができ、バネ力等の事前に保存された測定値を検出することによって、又はロードセルによるセレクタシャフトの作動力を検出することによって、検出されずに済むことで、達成される。従って、運転者の変速意思は、変速に繋がる作動力が、セレクタシャフトに印加されないときにも検出されることができ、この検出は、足は存在するものの、状況によっては作動されない運転者の足によって作動する変速レバーによってよりはむしろ、本発明による変速装置の幾つかの利点の一つに過ぎない、自動二輪車の後輪ブレーキを選択的に手動で作動させる装置と同様に、例えば手動で作動される自動二輪車に設けられた異なる装置によって、行われる。
【００２０】
本発明の更なる展開によれば、変速装置は、ギヤセレクタドラムの回転作動を検出する第２センサ装置を有すること、及び変速装置は、該第２センサ装置のセンサ信号に応じて駆動エンジンの出力トルクに影響を与えるように適合されることを提供される。
【００２１】
第２センサ装置で、該装置によって出力される第２センサ信号が使用可能となり、第２信号は、第１センサ装置によって提供される第１センサ信号に機能的に結合されることができるが、該結合は、エンジンによって出力されるエンジントルクが、本発明による変速装置によって影響されることができるようにして、行われる。この影響は、例えば、本発明による変速装置が、第１センサ装置によって提供される第１センサ信号に基づいて行われることができる変速過程を行うためにエンジントルクを減少させ、その結果、本発明による変速装置は、第２センサ装置によって提供される第２センサ信号に基づいてエンジントルクを増大させるように、使用されることができ、その場合、ギヤセレクタドラムの回転角度位置は、この目的で、第２センサ装置によって検出され、変速過程が終了されたことが、回転角度位置に基づいて検出され、エンジントルクは、再び増大されることができる。
【００２２】
また、本発明の更なる展開によれば、変速レバーは、セレクタシャフトに変速力を伝達するために、確動嵌合で、セレクタシャフトに結合される、又は力伝達装置を介在させた状態で、セレクタシャフトに接続されることも、提供される。両構成の可能性は、こうした方法、即ち、変速レバーが、セレクタシャフトの端面端部に固定される、又は例えば、変速レバーのリレー機構を使用してセレクタシャフトの端面端部に圧入で結合される方法で、考慮される。
【００２３】
本発明の更なる展開によると、変速レバーとセレクタシャフトとの間にある変速機力伝達経路には、変速力によって変形可能なバネ装置が存在しないことが、提供される。
【００２４】
言い換えれば、これは、変速レバーをセレクタシャフトに結合させる両場合、つまり、変速レバーをセレクタシャフトに直接確動嵌合で取着する場合と、変速レバーをセレクタシャフトに、変速レバーのリレー機構によって圧入接続する場合に、既知のシフト支援システムに存在する、変速力伝達経路に配置されるバネ装置を省くことが可能であることを意味している。従って、本発明による変速装置は、変速力伝達経路におけるバネ装置によって生じる感覚的に区別できないフワフワした感覚が、抑制され、特に、かかるバネ装置によって、ニュートラルの判別が損なわれないという利点により、卓越している。
【００２５】
また、本発明の更なる展開によれば、セレクタシャフトは、端面端部の領域に支持軸受を備え、支持軸受は、筒状体として形成され、セレクタシャフトに着脱可能に固定され、磁気装置を着脱可能に止着する取付台を有することも、提供される。従って、例えばプラスチック材料から形成されるこの筒状体を用いて、機能統合は、該筒状体が、エンジンハウジング又は変速機ハウジングにセレクタシャフトを取付けるための軸方向軸受として同時に使用され、例えばエンジンハウジング又は変速機ハウジングの外側に配置される第１センサ装置と相互作用する永久磁石を取付台に配置するための取付台を有するようにして、達成される。          
【００２６】
また、本発明の更なる展開によれば、ギヤセレクタドラムは、磁気装置が配置される端面端部の領域に、凹部を有することが提供される。磁気装置は、永久磁石とすることができ、該永久磁石の回転角度位置は、第２センサ信号を提供する第２センサ装置によって検出され、該第２センサ装置は、エンジンハウジング又は変速機ハウジングの外側に配置される。
【００２７】
第１及び／又は第２センサ装置は、非接触で動作するホール効果センサとして構成又は形成されることができ、該ホール効果センサは、セレクタシャフト及びギヤセレクタドラムの回転角度位置を検出するために、セレクタシャフトに配置される磁気装置と、又はギヤセレクタドラムに配置される磁気装置と相互作用し、この方法で第１及び第２センサ信号を提供する。
【００２８】
最後に、本発明の更なる展開によれば、変速装置は、クラッチが係合された状態で、ギヤが両変速方向に係合されて、手動変速機を変速するように構成されることも提供される。言い換えれば、これは、高速ギヤに切替えたり、低速ギヤに切替えたりすることが、自動二輪車の運転者がそのためにクラッチを作動させる必要なしに、本発明による変速装置によって、クラッチを係合させた状態で可能になることを意味する。
【００２９】
本発明は、以下で、図面に基づいて更に詳細に説明される。  
【図面の簡単な説明】
【００３０】
【図１】Ｖ字型配置にある２気筒エンジン、及びセレクタシャフトと該セレクタシャフトの背後に見えるギヤセレクタドラムセンサに直接配置された変速レバーを有する自動二輪車フレームの側面図を示している。
【図２】自動二輪車フレームを反対側から見た側面図を示している。
【図３】駆動エンジンの一部を通り延在し、図面の図２で見られる断面ＩＩＩ−ＩＩＩに沿った断面図を示しており、この側面図は、下から断面を見た図を示している。
【図４】図２による断面ＩＶ−ＩＶに沿った断面図を示している。
【発明を実施するための形態】
【００３１】
図面の図１は、自動二輪車フレーム１及びＶ字型エンジンの形をした駆動エンジン２を有する実例の側面図を示している。
【００３２】
自動二輪車の更なる細部、例えば、前輪、後輪、自動二輪車の鞍部等については、自動二輪車にあるこの種の部品は、通常存在すると想定されるため、イラストを簡素化する理由で省略されている。
【００３３】
駆動エンジン２は、エンジンハウジング３に配置される手動変速機４を有し、該手動変速機４の数個の部品については、図面の図３で見られる。
【００３４】
また、これ以上詳細に示されない自動二輪車は、変速レバー５を有し、該変速レバー５は、自動二輪車の運転手が手動変速機４を作動するために設けられる。この目的のために、運転者は、図示された実施形態では、自分の左足を使用して、変速レバー５を作動できるが、特に、運転者は、ギヤを低速に切替えるのに、図面の図１による矢印Ａの方向に変速レバー５を作動させ、ギヤを高速に切替えるのに、図１による矢印Ｂの方向に変速レバー５を作動させるようにして、これを行う。
【００３５】
この種の変速レバー５を作動することで、確実に、図面の図３で見られるセレクタシャフト６が、所定の回転角度又は旋回角度だけ回転作動されて、最終的に、運転者によるセレクタシャフト６の回転作動前に係合されているギヤが、特に高速ギヤの方向に、又は低速ギヤの方向に、変速レバー５の作動方向に応じて、切替わる。
【００３６】
詳細には、変速レバー５を回転作動することで、図面の図３に示されたギヤセレクタドラム７を回転作動でき、ギヤセレクタドラム７の外周に、ギヤセレクタドラム滑り子ガイドが形成されており、該ガイドは、同様に詳細には示されないセレクタフォークと係合され、それにより、所定の回転角度又は旋回角度だけギヤセレクタドラム７を回転作動させることによって、セレクタフォークは、軸方向に変位されて、歯車を軸方向に変位でき、該歯車は、軸方向に変位可能だが、変速機シャフトに回転可能に固着され、シフトドグを該シャフトの側面（ｓｉｄｅ  ｆｌａｎｋ）に有しており、従って、シフトドグを係合することによって動力フロー（ｐｏｗｅｒ  ｆｌｏｗ）を生成できる、又は係合を解除することによって動力フローを遮断できる。
【００３７】
従って、自動二輪車の運転者によって変速レバー５を枢動又は作動させることで、その都度、一定の回転角度又は旋回角度だけセレクタシャフト６を回転作動させられる、及び一定の回転角度又は旋回角度だけギヤセレクタドラム７を回転作動させられる。詳細には示されないレバーギヤ又はリレー機構によって、セレクタシャフトを変速レバーと圧入結合する場合でも、運転者が変速レバーを作動させることで、セレクタシャフト及びギヤセレクタドラムを回転作動させられる。
【００３８】
従って、自動二輪車の運転者が、変速過程を実行したい場合、低速ギヤに切替えたり、高速ギヤに切替えたりするのに、変速レバー５と共にギヤセレクタドラム７を作動させる。
【００３９】
手動変速機４を作動させるための本発明による変速装置は、図面の図３で参照番号８で示した第１センサ装置を有し、該第１センサ装置は、エンジンハウジング３に外設され−同様に、図面の図２に基づいて見られるように−、及び図示された実施形態では、該第１センサ装置は、ホール効果センサ９である。  
【００４０】
ホール効果センサ９の配置は、図面の図４に基づいてより詳細に明示されるが、図４では、ホール効果センサ９は、ホール効果センサ９が、取付台１０の反対側に配置されるようにして、エンジンハウジング３に外設され、該取付台１０は、プラスチック材製の本体１１上に形成され、本体１１は、セレクタシャフト６を軸方向及び径方向にガイドする支持軸受１２Ａとして同時に構成される。
【００４１】
永久磁石１２の形をした磁気装置は、取付台１０に配置され、それにより、変速レバー５の回転作動により運転者によって設定されるセレクタシャフト６の回転角度又は旋回角度が、ホール効果センサ９によって検出されることができ、第１センサ信号として使用可能となるようにする。
【００４２】
従って、自動二輪車の運転者が、変速レバー５の対応する作動によって変速過程を開始したなら、セレクタシャフト６の回転位置の変化が、第１センサ装置８によって検出され、第１センサ装置は、変速装置の制御装置又は調整装置（詳細には図示せず）によって検出されるセンサ信号を提供し、次に、制御装置又は調整装置は、図面の図４で見られる駆動エンジン２のクラッチ１３が運転者によって作動される必要なく、駆動エンジン２によって出力されるエンジントルクが減少されて、変速過程が実行されることができるように、駆動エンジン２を制御する。
【００４３】
運転者に知られる方法で変速レバー５を作動することで運転者によって印加されるレバー作動力は、運転者が本発明による変速装置に特に適応する必要なく、即ち、運転者が自分の変速挙動を変化させる必要なく、変速過程のための変速力を同時に提供する。
【００４４】
また、運転者によって変速レバー５が作動されることで、ギヤセレクタドラム７が、一定の回転角度又は旋回角度だけ、運転者によって加えられた変速力により、旋回又は回転作動される。
【００４５】
このギヤセレクタドラム７の回転作動は、第２センサ装置１４によって検出されるが、該第２センサ装置１４は、ホール効果センサ１５の形で、図面の図１に見られ、図面の図３に詳細に示されており、ホール効果センサ１５は、特に、ギヤセレクタドラム７の一端側端部に配置される永久磁石１６とのホール効果センサ１５の相互作用によって、ギヤセレクタドラム７の回転角度変化を判定できる。
【００４６】
従って、ギヤセレクタドラム７を回転作動すると、永久磁石１６によって生じる磁場が変化し、その変化が、ホール効果センサ１５によって検出され、これにより、第２センサ信号がこの方法で使用可能になり、第２センサ信号は、詳細には図示されない変速装置の制御装置又は調整装置によって、再び検出及び評価されることができる。この第２センサ信号は、同様に、エンジントルクの減少を停止させるために、又はエンジントルクを再び増大させるために、特に、第２センサ信号だけで、若しくは、第２センサ信号自体で、又は第１センサ信号に加えて、駆動エンジン２によって出力されたエンジントルクに影響を与えるのに、使用されることができる。
【００４７】
従って、自動二輪車のクラッチを作動せずに手動変速機を変速するための本発明による変速装置は、既知のシフト支援システムとは対照的に、運転者の変速力によって変化されることができ、変速レバーとセレクタシャフトとの間の力伝達経路に存在できるバネ装置がなく、そのため、自動二輪車の運転者は、かかるバネによって変化される変速挙動に適応する必要もない点で、卓越している。また、変速機を変速するために運転者によって変速レバーに印加される作動力も、検出及び評価される必要もなく、よって、ロードセル又は同様の力検出装置も、作動力を検出するために自動二輪車に取着される必要もない。
【００４８】
運転者の変速意思は、セレクタシャフトと相互作用する第１センサ装置によってセレクタシャフトの回転作動によって検出及び認識されることができ、次に、駆動エンジンのエンジントルクは、変速過程を実行するために減少されることができ、ギヤセレクタドラムと相互作用する第２センサ装置の第２センサ信号も、変速意思を検出するために、加えて評価されることができる。その結果、一方又は両方のセンサ信号は、変速過程を実行するために駆動トルクを減少させるように、又は駆動トルクを再び増大させるように、駆動エンジンの対応する制御に、使用されることができる。
【００４９】
また、本発明による変速装置は、既知のシフト支援システムと比較して、変速レバーに作用する作動力を使用して緊張される必要があるバネ装置が、変速レバーとセレクタシャフトとの間の力伝達経路に全くないため、変速装置は、摩耗しない方法で働き、且つ、自動二輪車のクラッチを作動させずに変速過程を開始及び実行するために、変速レバーを作動させるのに、運転者に既知の僅かな力で十分であるという利点もある。変速レバーの作動は、本発明による変速装置を使用する際でも、自動二輪車の運転者にも馴染み深いフィードバックがあり、従って、フワフワした感覚的に区別できない変速感覚の原因となる、捩じり装置又は圧力バネが、システムに存在しないため、運転者は、変化される変速挙動に適応する必要はない。  
【００５０】
かかるバネ装置がないため、既知のシフト支援システムの場合と同様に、運転者による手動変速機のニュートラル位置の判別が損なわれず、ギヤセレクタドラムセンサも、変速の完了を判定可能にするために呼び出されることができ、それにより自動二輪車の手動変速機は、保護され、エンジントルクは、その再蓄積が、手動変速機にとって無害なときに可能となる場合にのみ、再蓄積される。変速レバーに機能上結合される力測定装置を、自動二輪車に取着する要件が無くても済むため、自動二輪車の制御装置に給電及び信号伝達するために力測定装置を配線する要件も、なくても済み、シフト支援システムを有する自動二輪車の設計は、簡素化される。
【００５１】
以上で詳細に説明されなかった本発明の特徴については、特許請求の範囲及び図面で、明確に言及される。
【符号の説明】
【００５２】
１        自動二輪車フレーム
２        駆動エンジン
３        エンジンハウジング
４        手動変速機
５        変速レバー
６        セレクタシャフト
７        ギヤセレクタドラム
８        第１センサ装置
９        ホール効果センサ
１０      取付台
１１      本体
１２      永久磁石
１２Ａ    支持軸受
１３      クラッチ
１４      第２センサ装置
１５      ホール効果センサ
１６      永久磁石
【図１】
2019044971.tif 000003
【図２】
2019044971.tif 000004
【図３】
2019044971.tif 000005
【図４】
2019044971.tif 000006